【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
導電性支持体及び該導電性支持体上に形成された感光層を有する電子写真感光体において、該感光層が、下記一般式（２）で示されるアゾ顔料を含有することを特徴とする電子写真感光体。
一般式（２）
【化１】
2008250086.tif 000001
（一般式（２）中、Ｒ２は、置換基として塩素原子又はトリフルオロメチル基を有するフェニル基を表し、Ａｒは、下記式（３）〜（６）のいずれかで示される基を表す。）
【化２】
2008250086.tif 000002
【請求項２】
請求項１に記載の電子写真感光体、並びに、帯電手段、露光手段、現像手段、及び、転写手段を備えることを特徴とする電子写真装置。
【請求項３】
請求項１に記載の電子写真感光体と、帯電手段、現像手段、及び、クリーニング手段からなる群より選ばれる少なくとも１つの手段とを一体に支持し、電子写真装置本体に着脱自在であることを特徴とするプロセスカートリッジ。
【手続補正２】
【補正対象書類名】明細書
【補正対象項目名】０００６
【補正方法】変更
【補正の内容】
【０００６】
すなわち、本発明に従って、導電性支持体及び該導電性支持体上に形成された感光層を有する電子写真感光体において、該感光層が、下記一般式（２）で示されるアゾ顔料を含有することを特徴とする電子写真感光体が提供される。
一般式（２）
【手続補正３】
【補正対象書類名】明細書
【補正対象項目名】０００７
【補正方法】変更
【補正の内容】
【０００７】
【化１】
2008250086.tif 000003
【手続補正４】
【補正対象書類名】明細書
【補正対象項目名】０００８
【補正方法】変更
【補正の内容】
【０００８】
（一般式（２）中、Ｒ２は、置換基として塩素原子又はトリフルオロメチル基を有するフェニル基を表し、Ａｒは、下記式（３）〜（６）のいずれかで示される基を表す。）
【化２】
2008250086.tif 000004
【手続補正５】
【補正対象書類名】明細書
【補正対象項目名】０００９
【補正方法】変更
【補正の内容】
【０００９】
また、本発明に従って、上記電子写真感光体、並びに、帯電手段、露光手段、現像手段、及び、転写手段を備えることを特徴とする電子写真装置が提供される。
【手続補正６】
【補正対象書類名】明細書
【補正対象項目名】００１０
【補正方法】変更
【補正の内容】
【００１０】
また、本発明に従って、上記電子写真感光体と、帯電手段、現像手段、及び、クリーニング手段からなる群より選ばれる少なくとも１つの手段とを一体に支持し、電子写真装置本体に着脱自在であることを特徴とするプロセスカートリッジが提供される。
【手続補正７】
【補正対象書類名】明細書
【補正対象項目名】００２４
【補正方法】変更
【補正の内容】
【００２４】
電荷発生物質としては、本発明に係る下記一般式（２）で示されるアゾ顔料が用いられる。
一般式（２）
【手続補正８】
【補正対象書類名】明細書
【補正対象項目名】００２５
【補正方法】変更
【補正の内容】
【００２５】
【化３】
2008250086.tif 000005
【手続補正９】
【補正対象書類名】明細書
【補正対象項目名】００２６
【補正方法】変更
【補正の内容】
【００２６】
一般式（２）中、Ｒ２は、置換基として塩素原子又はトリフルオロメチル基を有するフェニル基を表し、Ａｒは、下記式（３）〜（６）のいずれかで示される基を表す。
【化４】
2008250086.tif 000006
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】削除
【補正の内容】
【手続補正２３】
【補正対象書類名】明細書
【補正対象項目名】００４０
【補正方法】削除
【補正の内容】
【手続補正２４】
【補正対象書類名】明細書
【補正対象項目名】００４１
【補正方法】削除
【補正の内容】
【手続補正２５】
【補正対象書類名】明細書
【補正対象項目名】００４２
【補正方法】削除
【補正の内容】
【手続補正２６】
【補正対象書類名】明細書
【補正対象項目名】００４３
【補正方法】削除
【補正の内容】
【手続補正２７】
【補正対象書類名】明細書
【補正対象項目名】００４４
【補正方法】削除
【補正の内容】
【手続補正２８】
【補正対象書類名】明細書
【補正対象項目名】００４５
【補正方法】削除
【補正の内容】
【手続補正２９】
【補正対象書類名】明細書
【補正対象項目名】００４６
【補正方法】削除
【補正の内容】
【手続補正３０】
【補正対象書類名】明細書
【補正対象項目名】００４７
【補正方法】削除
【補正の内容】
【手続補正３１】
【補正対象書類名】明細書
【補正対象項目名】００４８
【補正方法】削除
【補正の内容】
【手続補正３２】
【補正対象書類名】明細書
【補正対象項目名】００４９
【補正方法】削除
【補正の内容】
【手続補正３３】
【補正対象書類名】明細書
【補正対象項目名】００５０
【補正方法】削除
【補正の内容】
【手続補正３４】
【補正対象書類名】明細書
【補正対象項目名】００５１
【補正方法】削除
【補正の内容】
【手続補正３５】
【補正対象書類名】明細書
【補正対象項目名】００５２
【補正方法】変更
【補正の内容】
【００５２】
また、本発明によるアゾ顔料の結晶形は、結晶質であっても非晶質であってもよい。
以下に、本発明に用いられる、アゾ顔料の好ましい化合物例（例示化合物１〜３及び５〜７）を、その他のアゾ顔料の化合物例と共に列挙するが、これらに限定されるものではない。
【手続補正３６】
【補正対象書類名】明細書
【補正対象項目名】０１４９
【補正方法】変更
【補正の内容】
【０１４９】
（実施例２〜６及び参考例７〜１３）
実施例１に使用した電子写真感光体中の電荷発生層中のアゾ顔料を表１に示す例示化合物にそれぞれ変更したこと以外は実施例１と同様にして電子写真感光体を作製し、実施例１と同様に感度Δ５００（Ｖ・ｃｍ2／μＪ）を求めた。その結果、表１に示すように高感度な電子写真感光体が得られた。
【手続補正３７】
【補正対象書類名】明細書
【補正対象項目名】０１５２
【補正方法】変更
【補正の内容】
【０１５２】
【表１】
2008250086.tif 000007
【手続補正３８】
【補正対象書類名】明細書
【補正対象項目名】０１６１
【補正方法】変更
【補正の内容】
【０１６１】
（実施例１５〜１８及び参考例１９）
実施例１４に使用した電子写真感光体中の電荷発生層中のアゾ顔料を表２に示す例示化合物にそれぞれ変更したこと以外は実施例１４と同様にして電子写真感光体を作製し、実施例１４と同様にΔＶｄとΔＶｌの測定と画像目視評価を実施した。その結果、表２に示すように実施例１４と同様に耐久電位変動が小さく、高解像度なフルカラー画像が得られた。
【手続補正３９】
【補正対象書類名】明細書
【補正対象項目名】０１６３
【補正方法】変更
【補正の内容】
【０１６３】
【表２】
2008250086.tif 000008